(57)【要約】【課題】支持装置により支持される加熱調理器において、加熱調理器と支持装置に囲まれた空間を有効に活用できていないという課題がある。【解決手段】上記の課題を解決する為には、加熱調理器セットにおいて、加熱調理器と、この加熱調理器を支持する支持装置と、収納庫を有し、支持装置は、加熱調理器を載せる載置部と、この載置部を支える脚部を有し、載置部と脚部に囲まれた空間に、収納庫を設ける。この様に構成することにより、支持装置により支持される加熱調理器において、収納庫として用いることが可能となり、加熱調理器の下の空間を有効に利用することができる。【選択図】図１
2018054247.tif 000002
【特許請求の範囲】
【請求項１】
加熱調理器と、該加熱調理器を支持する支持装置と、収納庫を有し、
前記支持装置は、前記加熱調理器を載せる載置部と、該載置部を支える脚部を有し、
前記載置部と前記脚部に囲まれた空間に、前記収納庫を設けたことを特徴とする加熱調理器セット。
【請求項２】
前記加熱調理器の下面には、内部に空気を取り込む吸気口と、外部に空気を排出する排気口が形成されており、
前記支持装置の載置部には、前後の空間を仕切る仕切りを有し、該仕切りの前側に前記吸気口が位置し、該仕切りの後側に前記排気口が位置することを特徴とする請求項１に記載の加熱調理器セット。
【請求項３】
前記収納庫は、扉とトレイを有し、
前記加熱調理器の下面には、内部に空気を取り込む吸気口が形成されており、
前記支持装置の載置部には、開口が形成されており、
前記トレイの底面には、底面開口が形成されており、
前記扉と加熱調理器セットの設置位置との間には、隙間が形成され、
前記扉と加熱調理器セットの設置位置との間の隙間と前記底面開口と前記搭置部の開口と前記吸気口を流れる気流が形成されることを特徴とする請求項１に記載の加熱調理器セット。
【請求項４】
前記扉と前記加熱調理器との間には、隙間が形成され、
前記扉と前記加熱調理器との間の隙間と前記搭置部の開口と前記吸気口を流れる気流が形成されることを特徴とする請求項３に記載の加熱調理器セット。
【発明の詳細な説明】
【技術分野】
【０００１】
本発明は、加熱調理器と支持装置を有し、加熱調理器を下方向から支持装置で支持することで、設置する台に調理作業に適した高さに設置する加熱調理器セットに関する。
【背景技術】
【０００２】
従来から、支持装置を加熱調理器の下部に取り付けることで、加熱調理器を設置する台に、調理作業に適した高さとなるように設置される加熱調理器セットがある。支持装置は、加熱調理器の左側を支持する左側支持体と、加熱調理器の右側を支持する右側支持体を有し、加熱調理器の下に設置されて加熱調理器を支える。
【先行技術文献】
【特許文献】
【０００３】
【特許文献１】特開２０１６−２８２１８号公報
【発明の概要】
【発明が解決しようとする課題】
【０００４】
しかしながら、このような加熱調理器セットは、加熱調理器が支持装置に支持された状態では、加熱調理器の下方に、左側支持体と右側支持体と加熱調理器に囲まれた空間が形成される。つまり、加熱調理器の下部に、デットスペースとなる空間が生じる。
上記文献の第００５３段落には、加熱調理器の下の位置に、調理器具を収納する使い方が開示されている。しかしながら、調理作業中に跳ねた油や水分が、当該位置に侵入してしまうので、調理器具や加熱調理器の下側が汚れてしまう課題がある。
【０００５】
本発明は上記の課題を解決する為のものであり、支持装置により支持される加熱調理器において、加熱調理器と支持装置に囲まれた空間を有効に活用することができる加熱調理器セットを提供するものである。
【課題を解決するための手段】
【０００６】
上記の課題を解決する為には、加熱調理器と、この加熱調理器を支持する支持装置と、収納庫を有し、支持装置は、加熱調理器を載せる載置部と、この載置部を支える脚部を有し、載置部と脚部に囲まれた空間に、収納庫を設けたることにより、課題を解決することができる。
【発明の効果】
【０００７】
本発明によれば、支持装置により支持される加熱調理器において、加熱調理器の下の空間を有効に利用することができる。
【図面の簡単な説明】
【０００８】
【図１】実施の形態に係る加熱調理器セットを上側から見た斜視図
【図２】実施の形態に係る加熱調理器セットの分解斜視図
【図３】図２の加熱調理器を下方から見た斜視図
【図４】図１のＡ−Ａ断面図
【図５】図１のＢ−Ｂ断面図
【発明を実施するための形態】
【０００９】
実施の形態．
図１〜図５を参照して加熱調理器１を説明する。
加熱調理器１の外郭は、天板１０と本体ケース２０により構成される。天板１０は、結晶化ガラスにより構成される平板状のトッププレート１１と、このトッププレート１１を支持する枠１２から構成される。
トッププレート１１の上面には、加熱調理を行う際に調理容器を置く位置である加熱部１０ａを示す加熱部表示１１ａと、加熱調理器１を操作する際に設定入力を行う操作部を示す表示である操作部表示１１ｂが表示されている。
【００１０】
加熱部表示１１ａは、トッププレート１１の上面の左側と右側にそれぞれリング状の表示されており、後述する誘導加熱コイル２４の上方に位置する。
操作部表示１１ｂは、例えば、電源ＯＮ／OFF、火力（出力）の調整、タイマー時間の設定／変更、等を示すキー表示であり、トッププレート１１に印刷により表示される。この操作表示部１１ｂは、トッププレート１１の下面側に設けられる静電容量スイッチから成る操作部スイッチ１１ｃの上方に位置する。
つまり、加熱調理器１の操作部は、操作部表示１１ｂと操作部スイッチ１１ｃから構成されている。
【００１１】
操作部スイッチ１１ｃは、トッププレート１１の下面に近接して位置しており、使用者が操作表示部１１ｂに触れることで操作部スイッチ１１ｃの静電容量が変化を検知して、ＯＮ又はＯＦＦの信号を制御部２２に出力する。
尚、本実施の形態では、静電容量スイッチを用いて操作部スイッチ１１ｃを構成しているが、天板１０の上面にトッププレート１１で覆われない領域を形成し、当該領域にタクタイルスイッチを配置して操作部スイッチ１１ｃを構成しても良い。
【００１２】
次に、本体ケース２０は、上面が開口する箱体であり、底板２１により底部が形成されている。底板２１には、吸気口２１ａと排気口２１ｂが開口する。
吸気口２１ａは、円形状の開口を中心から放射状のリブと円環状のリブで、格子状に塞ぐように構成されている。排気口２１ｂは、複数のスリット状の開口が左右方向に整列して構成されている。
【００１３】
底板２１の下面には、脚部２１ｃが設けられている。脚部２１ｃは、加熱調理器１を直接設置位置に置く場合、設置位置と底板２１の間に介在して、加熱調理器１を支える部位となる。加熱調理器１の場合の脚部２１ｃは、左右対象となるように、右側の前側と後側にそれぞれ１つずつ、左側の前側と後側にそれぞれ１つずつ設けられている。
【００１４】
底板２１の上面２１ｃには、制御部２２、インバーター２３、ファン２５が設けられている。制御部２２とインバーター２３は、印刷配線基板２６に実装されており、この印刷配線基板２６が底板２１に固定されている。また、トッププレート１１の下には、トッププレート１１に対向するように誘導加熱コイル２４が配置されている。
なお、吸気口２１ａは、誘導加熱コイル２４の下側に位置している。また、排気口２１ｂは、本体ケース２０の後側に位置している。そして、吸気口２１ａと排気口２１ｂの間には、制御部２２、インバーター２３、誘導加熱コイル２４が位置している。
【００１５】
制御部２２は、操作部スイッチ１１ｃからの入力や温度センサー等の各種センサーからの入力やあらかじめ記憶された制御アルゴリズムに基づき、インバーター２３やファン２５や表示部等の電子部品を制御する。
インバーター２３は、制御部２２からの入力に基づき動作し、誘導加熱コイル２４に電流を供給する。また、インバーター２３は、動作時に生じる熱を放熱する為の放熱部（ヒートシンク）２３ａを有する。
【００１６】
誘導加熱コイル２４は、インバーター２３より供給される電流により磁界を生じさせ、加熱部１０ａに置かれた調理容器を誘導加熱する。
ファン２５は、吸気口２１ａに対向して底板２１に設けられる。このファン２５は、制御部２２からの入力に基づき動作することで、吸気口２１ａから空気を吸い込み本体ケース２０の内部空間Ｒ１に空気を導入し、排気口２１ｂから本体ケース２０の外部に空気を排出する気流Ｗ１の流れを作る。
【００１７】
以上のように、各部を備える本体ケース２０には、天板１０が、本体ケース２０の上面の開口を覆うように本体ケース２０に取り付けられる。天板１０が本体ケース２０に取り付けられることにより、天板１０と本体ケース２０に囲まれた空間Ｒ１が形成される。つまり、この空間Ｒ１が加熱調理器１の内部空間である。
【００１８】
この空間Ｒ１の内部には、調理容器を加熱する動作の際に熱が生じる制御部２２やインバーター２３や誘導加熱コイル２４が位置しているが、ファン２５が動作することで、吸気口２１ａから加熱調理器１の外部の空気を取り込み、排気口２１ｂから空気を排出する気流Ｗ１が形成され、加熱調理器１の内部の温められた空気を外部に排出し、加熱調理器１の内部及び各種部品が高温とならないように構成されている。
【００１９】
次に、加熱調理器セット１００を説明する。
加熱調理器セット１００は、加熱調理器１と支持装置１１０と収納庫となる引出し体１３０から構成される。支持装置１１０は、加熱調理器１を設置するキッチンにおいて、加熱調理器１を下方より支持して、加熱調理器１の高さを調理作業に適した高さに調整するものである。
【００２０】
支持装置１１０は、加熱調理器１を載せる載置部１１１と、この載置部１１１支える脚部１１２から構成されている。載置部１１１は、上面１１１ａが平面である板状の部位である。また載置部１１１には、上下に連通する開口１１１ｂと、この開口１１１ｂより後方となる位置に仕切り１１１ｃが設けられている。
開口１１１ｂは、複数個形成されており、左右方向に並んでいる。仕切り１１１ｃは、上面１１１ａから上方に向けて突出する部位であり、載置部１１１の左端から右端に掛けて形成されている。
【００２１】
脚部１１２は、載置部１１１の左右の端からそれぞれ下方に伸びる板状の部位である。本実施の形態においては、載置部１１１の下面１１１ｄに対して、脚部１１２は垂直に交わるように構成されている。脚部１１２は、支持装置１１０の外側を向く面である側面壁１１２ａを構成する。
また、脚部１１２の下面１１２ｂは、設置位置に対して安定して接するように平面となる部分が構成されている。
更に、脚部１１２の支持装置１１０の内側を向く内面壁１１２ｃの下端側には、下段部１１２ｄが設けられている。下段部１１２ｄは、内面壁１１２ｃの前端から所定の幅Ｄ１だけ後方側の位置から後端に至り、内面壁１１２ｄから突出した部分であり、上面１１２ｅが平らに形成されている。
【００２２】
この様な支持装置１１０は、載置部１１１の下方と左右の脚部１１２の間に、これらの部位に囲まれた空間部が形成された正面から見た形状がコ字形状を成す部材である。
尚、支持装置１１０は、載置部１１１と脚部１１２を樹脂成型などにより一体成型により構成したものでもよく、また、載置部１１１と脚部１１２を別々に構成してこれらを組み立てたものでもよい。
【００２３】
次に、収納庫となる引き出し体１３０は、内部に収納物を入れるトレイ１３１と、このトレイの前面に設けられる扉１３２から構成される。
トレイ１３１は、矩形状の底板１３１ａの前端から垂直方向に立ち上がる前壁１３１ｂと、底板１３１ａの左端から垂直方向に立ち上がる左壁１３１ｃと、底板１３１ａの右端から垂直方向に立ち上がる右壁１３１ｄと、後端から垂直方向に立ち上がる後板１３１ｅから成る上面が開口する箱体である。
【００２４】
扉１３２は、トレイ１３１の前壁１３１ｂを覆う部材であり、厚さがＤ１又はＤ１より小さい板状を成す部材である。また、扉１３２の下端には、凹部を形成することにより手掛け部１３２ａが形成されている。更に、扉１３２の上下方向の高さは、前壁１３１ｂの上下方向の高さより高く構成されている。扉１３１は、トレイ１３１の前壁１３１ｂに取り付けられている。
底板１３１ａには、上下に連通した複数の底面開口１３３が形成されている。底面開口１３３は、スリット状の開口であり、左右方向に並んで設けられている。また、底面開口１３３は、トレイ１３１の前側の領域と後側の領域に設けられている。
【００２５】
以上の各部は、次のように組み合わさり加熱調理器セット１００を構成する。
図１〜図５を参照すると、加熱調理器１は、支持装置１１０の上面１１１ａに載せられる。支持装置１１０の上面１１１ａの置かれた加熱調理器１は、脚部２１ｃに支えられることで、本体ケース２０と支持装置１１０の上面の間に隙間Ｃ１が形成された状態となる。
尚、加熱調理器１が支持装置１１０に設けられた状態において、仕切り１１１ｃより前側の位置に、支持装置１１０に形成された開口１１１ｂと加熱調理器１の吸気口２１ａが位置する。また、同状態において、仕切り１１１ｃより後側の位置に、加熱調理器１の排気口２１ｂが位置する。
【００２６】
つまり、仕切り１１１ｃは、加熱調理器１と支持装置１１０の隙間Ｃ１を埋めて、仕切り１１１ｃの前後の空間を仕切るものである。従って、仕切り１１１ｃの前側の空間から後側の空間、又は、後側の空間から前側の空間へと、気流が流れにくい状態又は流れない状態となる。
尚、本実施の形態において、仕切り１１１ｃの高さは、脚部２１ｃの高さと同じか若干小さく構成されている。仕切り１１１ｃと加熱調理器１との間に隙間に、スポンジやゴム等の弾性部材を介在させることで、仕切り１１１ｃの前と後の空間を、より隔離するように構成しても良い。
【００２７】
次に、支持装置１１０の載置部１１１の下側で左右の脚部１１２に囲まれた空間Ｒ２には、引き出し体１３０が挿入されて取り付けられる。引き出し体１３０は、支持装置１１０に取り付けられた状態において、トレイ１３１が、下段部１１２ｄの上面１１２ｅに載せられた状態であり、前後方向に出し入れ移動可能となっている。
また、トレイ１３１は、下段部１１２ｄに載せられているので、トレイ１３１の下面と設置位置との間に隙間Ｃ２が形成される。
【００２８】
また、扉１３２は、厚さがＤ１又はＤ１より小さい板で構成されているので、上段部１２７及び下段部１２６が設けられていない左右の脚部１１２の前端からＤ１の部分に入り込む。つまり、引き出し体１３０は、扉１３２が左右の脚部１１２の間であって内側に収納できる。
このとき、扉１３２は、支持装置１１０の載置部１１１の下側で左右の脚部１１２により囲まれる空間の前側を塞ぐ。尚、この状態において、扉１３２の下端と設置位置との間に、隙間Ｃ３が形成された状態となる。また、扉１３２の上端と加熱調理器１との間には、隙間Ｃ４が形成された状態となる。
このように、支持装置１１０を構成することで、加熱調理器１の下の空間に収納スペースとして用いることができる引き出し体１３０を出し入れ可能に設けることができ、加熱調理器１の下の空間を有効に利用することができる。
【００２９】
ここで、図４〜図５を参照して、加熱調理器１を動作させた状態の加熱調理器セット１を説明する。
加熱調理器１が使用者の入力に基づき加熱動作を開始すると、ファン２５が動作して、吸気口２１ａから空気を吸い込み本体ケース２０の内部空間Ｒ１に空気を導入し、排気口２１ｂから本体ケース２０の外部に空気を排出する気流Ｗ１を作る。つまり、吸気口２１ａの周囲の空気が、ファン２５の動作により内部空間Ｒ１に取り込まれる状態が続く。
【００３０】
これに伴い、吸気口２１ａには、周囲から空気が流れ込み続ける。そして、この吸気口２１ａに向けて流れる気流には、支持装置１１０の下部の空間であるＲ２からの気流Ｗ２と気流Ｗ３がある。
気流Ｗ２は、扉１３２の下端と設置位置との間の隙間Ｃ３から、引き出し体１３０の位置する空間Ｒ２の内部に入り、トレイ１３１と設置位置との隙間Ｃ２を流れた後、トレイ１３１の底面開口１３３からトレイ１３１の内部に入りトレイ１３１の内部を流れた後、支持装置１１０の開口１１１ｂから空間Ｒ２を出て、加熱調理器１と支持装置１１０の隙間Ｃ１へと流れ込み、吸気口２１ａと至る。
【００３１】
つまり、気流Ｗ２は、トレイ１３１の内部を流れるので、空間Ｒ１を冷却する空気の流れになると共に、空間Ｒ２及びトレイ１３１の内部の換気を行う気流となる。
特に、底面開口１３３は、トレイ１３１の手前側と後側に設けられているので、トレイ１３１の内部を満遍なく換気を行うことできる。また、底面開口１３３は、スリット状の開口なので、トレイ１３１の内部に収納した物品が、底面開口１３３からトレイ１３１の外部に出ることを防止できる。
【００３２】
次に、気流Ｗ３は、本体ケース２０と支持装置１１０の上面の間の隙間Ｃ１から引き出し体１３０の位置する空間Ｒ２の内部に入り、支持装置１１０の開口１１１ｂから空間Ｒ２を出て、加熱調理器１と支持装置１１０の隙間Ｃ１へと流れ込み、吸気口２１ａと至る。
このように、気流Ｗ２に加え、気流Ｗ３を形成することで、トレイ１３１に収納した物品により底面開口１３３を塞ぎ気流Ｗ２が生じにくくなっても、空間Ｒ１を冷却する空気の流れと、空間Ｒ２内の換気を行うことができる。
【００３３】
ここで、加熱調理器セット１００において、仕切り１１１ｃより前側の位置に、開口１１１ｂと加熱調理器１の吸気口２１ａが位置する。また、仕切り１１１ｃより後側の位置に、加熱調理器１の排気口２１ｂが位置する。
このように仕切り１１１ｃが設けられているので、排気口２１ｂから排出された空間Ｒ１内の冷却を行った空気が、気流Ｗ２、気流Ｗ３と混ざることを防止できる。
【符号の説明】
【００３４】
１  加熱調理器、１０  天板、１１  トッププレート、１１ａ  加熱部表示、
１１ｂ  操作部表示、１１ｃ  操作部スイッチ、１２  枠、２０  本体ケース、
２１  底板、２１ａ  吸気口、２１ｂ  排気口、２１ｃ  脚部、２２  制御部、
２３  インバーター、２４  誘導加熱コイル、２５  ファン、２６  印刷配線基板、
１１０  支持装置、１３０  引き出し体、１３１  トレイ、１３１ａ  底板、
１３１ｂ  前壁、１３１ｃ  左壁、１３１ｄ  右壁、１３２  扉
【図１】
2018054247.tif 000003
【図２】
2018054247.tif 000004
【図３】
2018054247.tif 000005
【図４】
2018054247.tif 000006
【図５】
2018054247.tif 000007